(57)【要約】【課題】本発明は、排泄される鶏糞を敷き料によって受け止め、水分調整を行いながら醗酵を促進させることにより臭気の発生を大幅に抑制し醗酵分解することができる養鶏場における鶏糞処理方法を提供することを目的とするものである。【解決手段】本発明は、少なくとも消臭機能を有する微生物と堆肥化促進機能を有する微生物が接種された敷き料１１をケージ２の下側に設けて、鶏から排泄された鶏糞を敷き料１１によって受け止める工程と、敷き料１１に受け止められた鶏糞を混合攪拌する工程を備えることにより鶏糞の醗酵・分解を行う構成とするものである。【選択図】図１
2010035557.tif 000002
【特許請求の範囲】
【請求項１】
少なくとも消臭機能を有する微生物と堆肥化促進機能を有する微生物が接種された敷き料をケージの下側に設けて、鶏から排泄された鶏糞を該敷き料によって受け止める工程と、
前記敷き料に受け止められた鶏糞を混合攪拌する工程を備える
養鶏場における鶏糞処理方法。
【請求項２】
前記消臭機能を有する微生物が枯草菌で、前記堆肥化促進機能を有する微生物が放線菌である
請求項１に記載の養鶏場における鶏糞処理方法。
【請求項３】
前記枯草菌が、バチルスサブチリス（Ｂａｃｉｌｌｕｓ  ｓｕｂｔｉｌｉｓ）の属する微生物である
請求項２に記載の養鶏場における鶏糞処理方法。
【請求項４】
前記放線菌が、ストレプトマイセスサッカリ（Ｓｔｒｅｐｔｏｍｙｃｅｓ  ｓａｃｃｈｒｉ）の属する微生物である
請求項２または請求項３に記載の養鶏場における鶏糞処理方法。
【請求項５】
前記敷き料が、ケージの下側に沿って設けられた鶏糞醗酵槽内に敷設される
請求項１または請求項２に記載の養鶏場における鶏糞処理方法。
【請求項６】
前記敷き料が、通気性改良材とされる
請求項１、請求項２または請求項３に記載の養鶏場における鶏糞処理方法。
【請求項７】
前記通気性改良材が、おが屑、ワラ、木チップ、バカス、キノコ培地、ぬか、もみ殻、あるいはバークのいずれか、またはこれらの混合により形成される
請求項６に記載の養鶏場における鶏糞処理方法。
【請求項８】
前記通気性改良材が、パーライト、バーミキュライト、あるいはゼオライトのいずれか、またはこれらの混合により形成される
請求項６に記載の養鶏場における鶏糞処理方法。
【発明の詳細な説明】
【技術分野】
【０００１】
本発明は、養鶏場における鶏糞処理方法に関する。詳しくは養鶏場において排泄される鶏糞を堆肥化する養鶏場における鶏糞処理方法に係るものである。
【背景技術】
【０００２】
一般に、大量飼育の養鶏場における養鶏システムでは、例えば図４に示すように、地表より１ｍ以上の空間に金網のゲージ１０１を設置するための支柱１０２が一定間隔ごとに立設され、これらの支柱１０２間に渡設される受パイプ１０３上にケージ１０１が横列されている。そして、ケージ１０１内にて飼育される鶏（図示せず。）から排泄された糞は、ケージ１０１より落下してケージ１０１下の地表上に堆積させ、４００日〜７００日前後で卵を産まなくなった鶏の入れ替え時に堆積した鶏糞を回収し、堆肥化処理を行っている。
【０００３】
ここで、通常の配合飼料によって飼育された鶏の糞は水分が多く、粘液性を有しているため、堆積した鶏糞は通気性の無い糞塊となってしまい、非常に強い悪臭を発生するとともに蛆が湧くことによる大量のハエの発生により作業環境の悪化と近辺の生活環境に悪影響を及ぼしている。
【０００４】
そこで、鶏舎内で鶏糞の醗酵処理を行うことを目的とする鶏糞処理方法が提案されており、例えば特許文献１に記載されている。具体的には図５に示すように、一般の飼料に好気性土壌菌で醗酵処理された酵素入り飼料で飼育された鶏から排泄された鶏糞を、ケージ１０１の下側に設けた通気性を有する鶏糞受け１０４で受止め、所定期間１次醗酵させた後、この鶏糞を下方の搬送ベルト１０５に落下させて２次醗酵させた後に回収するようにするものが提案されている。
【０００５】
【特許文献１】特開平７−１０７８７５号公報
【発明の開示】
【発明が解決しようとする課題】
【０００６】
ここで、特許文献１には、特殊醗酵飼料を一般の鶏用飼料に２０％程度混入させた飼料を用いて飼育することによって排泄される糞は悪臭が無く、一般の飼料配合では７０．９％の水分比率が４２．８％の水分比率となることが記載されている。
【０００７】
しかしながら養鶏場における鶏は狭いケージ内で飼育され、ケージ内で飼料や水を補給しながら尿が混ざった糞を絶えずゲージから排泄するものである。したがって、堆積された鶏糞は醗酵前、醗酵中、あるいは醗酵後の鶏糞が混ざった状態となり均一な発酵が行えない。
【０００８】
また、一次醗酵が終了していない状態で２次醗酵が開始されることにより醗酵の際に強い臭気が発生して鶏の飼育に悪影響を及ぼす恐れがあり、更に醗酵にバラツキが生じることで不完全な肥料として回収される恐れがある。
【０００９】
また、養鶏は４００日前後ケージ内で飼育された後に、鶏舎内でブロックごとに配置されたケージにより飼育される鶏の入れ替えが行われる。この入れ替え時には鶏インフルエンザなどの病原菌の感染を防ぐためにゲージやゲージ下の地表面の洗浄や消毒が行われるが、特許文献１に記載された発明のように、鶏糞受けや搬送ベルトの洗浄や消毒作業を行う場合には非常な手間がかかってしまう。
【００１０】
本発明は、以上の点に鑑みて創案されたものであって、排泄される鶏糞を敷き料によって受け止め、水分調整を行いながら醗酵を促進させることにより臭気の発生を大幅に抑制し醗酵分解することができる養鶏場における鶏糞処理方法を提供することを目的とするものである。
【課題を解決するための手段】
【００１１】
上記の目的を達成するために、本発明に係る養鶏場における鶏糞処理方法は、少なくとも消臭機能を有する微生物と堆肥化促進機能を有する微生物が接種された敷き料をケージの下側に設けて、鶏から排泄された鶏糞を該敷き料によって受け止める工程と、前記敷き料に受け止められた鶏糞を混合攪拌する工程を備える。
【００１２】
ここで、尿の混ざった鶏糞は敷き料によって受け止められて混合されることで、適度な水分調整が行われた後に、３０〜６０℃の中温度域内にて消臭機能を有する微生物によりアンモニア臭気が分解されることによって、臭気の発生を抑えながら好気的な一次醗酵を継続することができる。
【００１３】
更に、一次醗酵において臭気成分が分解された鶏糞を７０〜８５℃の高温度域内にて堆肥化促進機能を有する微生物により好気的な二次醗酵を行うことによって、短期間での醗酵、分解を行うことが可能となる。
【００１４】
また、消臭機能を有する微生物としては枯草菌が特に好ましく、堆肥化促進機能を有する微生物としては放線菌が特に好ましい。更に、一次醗酵において枯草菌と放線菌とを共存させ、一次醗酵を３０〜６０℃の中温度域内、二次醗酵を７０〜８５℃の高温度域内にて行うことにより、一次醗酵においては枯草菌の機能を発揮させ、二次醗酵においては放線菌の機能を発揮させることが可能となる。
【００１５】
また、枯草菌が、バチルスサブチリス（Ｂａｃｉｌｌｕｓ  ｓｕｂｔｉｌｉｓ）に属する微生物である場合には、アンモニア臭分解能力が非常に高く発酵の際の悪臭を抑えることが可能となる。
【００１６】
また、放線菌が、ストレプトマイセスサッカリ（Ｓｔｒｅｐｔｏｍｙｃｅｓ  ｓａｃｃｈｒｉ）に属する微生物の場合には、有機物分解速度が非常に高くアンモニア臭低減にも効果があることが確認されており、そのため、早い速度で発酵が促進されるとともに発酵の際の悪臭を抑えることが可能となる。
【００１７】
また、敷き料が、ケージの下側に沿って設けられた鶏糞醗酵槽内に敷設されることにより、鶏糞醗酵槽内での攪拌、混合および散水による水分調整の自動化が可能となる。
【００１８】
また、敷き料が、おが屑、ワラ、木チップ、バカス、あるいはバークのいずれか、またはこれらの混合による通気性改良材により形成されることによって、適度な水分調整を容易に行うことができ、かつ微生物を死滅させることなく増殖させることが可能となる。
【００１９】
また、パーライト、バーミキュライト、あるいはゼオライトのいずれか、またはこれらの混合により通気性改良材が形成されることによって、適度な水分調整を容易に行うことができ、かつ微生物を死滅させることなく増殖させせることが可能となる。
【発明の効果】
【００２０】
本発明の養鶏場における鶏糞処理方法によれば、養鶏場におけるケージ下の床面に沿って微生物を接種した敷き料を敷くことにより、敷き料上に排泄される鶏糞は臭気の発生を抑えながら醗酵、分解を促進させることで臭気による鶏舎外の環境保全を可能とする。
【００２１】
また、鶏糞は醗酵、分解されることにより鶏の入れ替え時まで（約４００日〜７００日間）鶏糞を回収することなく醗酵、分解を継続させることが可能となり、従来のように鶏糞の回収および回収後の醗酵処理という作業を省くことが可能となる。
【発明を実施するための最良の形態】
【００２２】
以下、本発明の実施の形態を図面を参酌しながら説明し、本発明の理解に供する。
図１は本発明を適用した養鶏場における鶏糞処理方法の一例を示す説明図、図２は本発明を適用した養鶏場におけるケージの一例を示す説明図である。
【００２３】
ここで示す養鶏場１は、地表より１ｍ以上の空間に金網のケージ２を設置するための支柱３が一定間隔ごとに立設されている。これらの支柱３の上端には左右側にケージ２が設置されるようにＴ字状の受けアーム４が設けられ、この受けアーム４同士の間にケージ受け支持パイプ５が渡設されている。
【００２４】
ここで、ケージ受け支持パイプ５上にケージ２が配置されており、このケージ２は、その周囲が格子で覆われた箱体からなり、１ないし２羽の鶏を収容できるように構成されている。
【００２５】
また、ケージ２は、外側を給餌側とし直線状に配列することにより、大量の鶏を飼育できるように構成されている。更に、ケージ２の給餌側側面には首を出すための開口（図示せず）を備えるともに、その底面は鶏卵や鶏糞を通過するに足りる間隔の格子によって形成されている。
【００２６】
また、給餌側側面の開口の下側には給餌樋６が配置され、ケージ２内の鶏に飼料を供給できるように構成されている。更に、給餌樋６の上方の給餌側側面には給水樋７が配置されている。この給水樋７は、ケージの並び方向に対して若干傾斜して設けられており、一方の端部から注水した水を水流によって各ケージに共通給水できるように構成されている。
【００２７】
更に、ケージ２の下端には、ケージ２の前面に向けて下向きに傾斜した鶏卵受８が延設されている。この鶏卵受８の前縁部９は樋状に折り曲げられ、ケージ２の底面を通過した鶏卵を傾斜に沿って鶏卵受８に転落させた後に前縁部９により停止、貯留できる構成とされている。
【００２８】
次に、ケージ２の下方の地表上には、ケージの並び方向に沿って鶏糞醗酵槽１０が載置されている。この鶏糞醗酵槽１０は、幅５０〜７０ｃｍ、深さ２０〜３０ｃｍほどのポリエステル、木製、あるいは金属製により形成されている。
【００２９】
ここで、鶏糞醗酵槽１０内に予め枯草菌および放線菌を含んだ微生物を接種した敷き料１１を投入し、この敷き料１１上にケージ２内より排泄された鶏糞が落下することとなる。なお、敷き料１１としては、おが屑、ワラ、木チップ、バカス、あるいはバークのいずれか、またはこれらの混合が用いられる。
【００３０】
上記の様に構成することによって、敷き料１１上に堆積される鶏糞と敷き料１１とを攪拌混合して含水率４５％〜７０％の範囲内で水分調整を行い醗酵、分解処理を行うことができる。
【００３１】
なお、鶏糞醗酵槽１０内に投入される敷き料１１は鶏の入れ替えが行われるまでの期間（４００日前後）中は入れ替えを行わず、数日ごとに鶏糞と敷き料１１とを攪拌するとともに水散布で水分調整をしながら醗酵することによって鶏糞が醗酵分解されることとなる。
【００３２】
＜実施例１＞
養鶏場において鶏１羽の一日の排泄量が約１２０ｇであり、この排泄量に対して敷き料１１として２０〜２５リットルのおが屑を用意し、接種菌体として商品名ビオグリーン特を使用しての醗酵処理と、従来例として地表上に鶏糞を堆積させる方法とのアンモニア濃度の比較測定結果を下記表１に示す。なお、測定単位はｐｐｍとする。
【００３３】
【表１】
2010035557.tif 000003
【００３４】
以上の結果から、導入日から１７日後のおが屑表面でのアンモニア濃度が５．５ｐｐｍに対して、従来のように単に鶏糞を堆積させる場合では１１０ｐｐｍであることが分かる。
【００３５】
また、攪拌、水散布を行い導入より３８日後のおが屑表面でのアンモニア濃度が１０ｐｐｍに対して、従来のように単に鶏糞を堆積させる場合では２００ｐｐｍであり、従来法に比べアンモニア濃度が著しく減少したことが分かる。なお、１０ｐｐｍ程度のアンモニア濃度は、殆んどの人が臭気を感じない値である。
【００３６】
また、枯草菌および放線菌を含んだ微生物を接種した敷き料による一次処理で特に３０〜６０℃の中温度域内にて醗酵を行うことによって、中温度域内での好気的条件下における枯草菌の増殖により臭気、例えばアンモニアを分解することができ、臭気の発生を抑えながら好気的醗酵を継続することが可能となる。
【００３７】
更に、一次処理で臭気成分の発生が抑えられた中間処理物に対して、一次処理より高温度、特に７０〜８５℃の高温域内での好気的条件下における二次処理によって、特に放線菌の働きにより醗酵を促進させて短期間での醗酵、分解が可能となる。
【００３８】
これら枯草菌および放線菌としては、バチルスサブチリス  TB5株、ストレプトマイセスサッカリ  MA6株を挙げることができる。これらの菌株はそれぞれ２００９年７月７日に、茨城県つくば市東１丁目１番地１  中央第６、独立行政法人産業技術総合研究所  特許生物寄託センター、受領番号ＦＥＲＭ  ＡＰ−２１８２７およびＡＰ−２１８２８として受領されている。
【００３９】
＜実施例２＞
実施例１における飼育条件下での敷き料から堆肥サンプルを採取し、初期ｐＨを７．３に調整したＴＳ寒天培地を用いて希釈平板法を適用し、３０℃および６０℃で培養してコロニー形成速度の速いものを有機物分解能の高い微生物としてＭＡ６株を単離した。その後、図４に示すように、ＭＡ６株を含めてプレート上にコロニーを形成する微生物のうち、数的に優勢なものを単離し、純粋培養を確立した。更に、純粋培養したＭＡ６株を含む８株を初期ｐＨ７．３に調整したＴＳ液体培地を用いて培養しｐＨの経時変化を測定しながら、通常の微生物では培地中の蛋白質の分解に伴って悪臭であるアンモニアを発生しｐＨが８．５付近まで上昇するところ、ｐＨが７付近にまでしか上昇しない微生物を、悪臭低減に効果のある微生物としてスクリーニングしTB５株を得た。
【００４０】
その結果、有機物分離速度の速いＭＡ６株はアンモニア臭低減にも効果があることを確かめるとともに、アンモニア臭低減にも効果がある他の微生物としてＴＢ５株を得た。
【００４１】
ＭＡ６株は、ＩＳＰ  Ｎｏ．４培地を用いて３０℃の条件で３日間培養することにより、２〜３mm直径の白色コロニーを形成する。ＭＡ６株のグラム染色性は陽性で運動性のある偏性好気性芽胞形成桿菌であり、グリセロール、D-グルコース、N-アセチルグルコサミン、エスクリンの分解は陽性である。分枝した基生菌糸より、比較的長い波状の気菌糸を伸長し、稀にかぎ状あるいはループ状を呈する。成熟した胞子鎖は１０〜５０個の卵円形の胞子を連鎖し、胞子の大きさは約０．６〜０．７×０．８〜１．０μｍである。
【００４２】
ＴＢ５株は、TS寒天培地を用いて５０℃の条件で３日間培養することにより、３〜５mm直径のクリーム色で不規則状、隆起状態は半レンズ状、周縁は波状のコロニーを形成する。TB5株のグラム染色性は陽性で運動性のある偏性好気性芽胞形成桿菌であり、内生胞子を菌体の中央部に１個有する。グリセロール、L-アラビノース、リボース、D-キシロース、D-グルコース、D-フルクトース、D-マンノース、イノシトール、マンニトール、ソルビトース、メチル-αD-グルコピラノイド、アミグラダリン、アルブチン、エスクリン、サリシン、D-セロビオース、D-マルトース、D-メリビオース、D-サッカロース、D-トレハロース、イヌリン、ラフィノース、デンプン、グリコーゲン、ツラノース、グルコン酸カリウムの分解は陽性である。
【００４３】
引き続いて、これらの微生物を同定した。まず、土壌ＤＮＡキット（株式会社ニッポンジーン）を用いて ＭＡ６株、およびＴＢ５株からＤＮＡを抽出した。
単離した微生物から回収したDNAについては、その１６SＳｒＲＮＡ遺伝子領域をＴａＫａＲａＥＸ  Ｔａｑ（タカラバイオ株式会社）を用いてＰＣＲで増幅した。ＰＣＲ増幅には９Ｆ、５１５Ｆ、７８５Ｆ、１０９９Ｆ、５３６Ｒ、８０２Ｒ、１１１５Ｒ、１５４１Ｒのプライマーを用いた（表２参照）。ＰＣＲ条件は、最初に９５℃、５分の変性をおこなった後、９５℃、１分（変性）、４９℃、４５秒（アニーリング）、７２℃、1分３０秒(伸長)を３０サイクル、最後に７２℃、５分の伸長をおこなった。ＰＣＲにより目的配列が増幅されたことを確認するために、ＰＣＲ増幅物を１．０×トリス酢酸ＥＤＴＡ緩衝液 （ＴＢＥ）アガロースゲル（寒天濃度２％）を用いて電気泳動した。具体的には紫外線照射下でアガロース中に電気泳動されたＰＣＲ増幅物１μＬとマーカーとしてＯｎｅ  ＳＴＥＰ  Ｌａｄｄｅｒ  ５０（株式会社ニッポンジーン）を比較し、目的の長さのＰＣＲ増幅物について確認した。増幅確認後、Ｗｉｚａｒｄ（Ｒ）ＳＶ  Ｇｅｌ  ａｎｄ  ＲＣＲ  Ｃｌｅａｎ―Ｕｐ  Ｓｙｓｔｅｍ(プロメガ株式会社)を用いてＰＣＲ産物の精製をおこなった。
このようにして精製したＰＣＲ増幅物はＢｉｇＤｙｅ  Ｋｉｔ(株式会社パーキンエルマージャパン, アプライドバイオシステムズ)を用いてシーケンス反応をおこない、マスシークエンスＭａｇａ  ＢＡＣＥ(ＧＥヘルスケアバイオサイエンス株式会社)を用いてＤＮＡの塩基配列を決定した。塩基配列はＡＢＩ  Ｐｒｉｓｍ３１０遺伝子解析装置（アプライドバイオシステムズジャパン株式会社)で解析した。細菌は日本ＤＮＡデータバンク（ＤＤＢＪ）に登録されている配列に対して相同性検索をおこなった。
【００４４】
【表２】
2010035557.tif 000004
【００４５】
ここで、ＭＡ６株はその１６ＳｒＲＮＡ遺伝子領域のうち、１３５７ｂｐ（５１〜１４０８ｂｐ）を解析した（表３参照）。これを相同性検索したところ、ストレプトマイセスサッカリ（Ｓｔｒｅｐｔｏｍｙｃｅｓ  ｓａｃｃｈｒｉ）と９８％以上の相同性を示すことが確かめられた（表４参照）。これによりＭＡ６株は、ストレプトマイセスサッカリ（Ｓｔｒｅｐｔｏｍｙｃｅｓ  ｓａｃｃｈｒｉ）ＭＡ６株と同定した。
【００４６】
【表３】
2010035557.tif 000005
【００４７】
【表４】
2010035557.tif 000006
【００４８】
一方、ＴＢ５株は、その１６ＳｒＲＮＡ遺伝子領域のうち、１４２５ｂｐ（６５〜１４９０ｂｐ）を解析した（表５参照）。これを相同性検索したところ、バチルスサブチリス（Ｂａｃｉｌｌｕｓ  ｓｕｂｔｉｌｉｓ）と９９％以上の相同性を示すことが確かめられた（下記表６参照）。これによりＴＢ５株はバチルスサブチリス（Ｂａｃｉｌｌｕｓ  ｓｕｂｔｉｌｉｓ）ＴＢ５と同定した。
【００４９】
【表５】
2010035557.tif 000007
【００５０】
【表６】
2010035557.tif 000008
【００５１】
＜実施例３＞
実施例１における飼育条件下で平成２０年３月１８日の導入日より７カ月くらい経過した平成２０年１０月２０日と、更に５カ月くらい経過した平成２１年３月１１日での敷き料を採取して、敷き料中の水分、窒素全量、りん酸（Ｐ２  Ｏ５  ）、加里（Ｋ２  Ｏ）を肥料分析法に基づいて測定した。この時間経過前後の敷き料中に含まれる乾物重量基準の窒素、りん酸、加里濃度を下記表７に示す。
【００５２】
【表７】
2010035557.tif 000009
【００５３】
以上の結果から、りん酸については３．６２から５．４５および加里については２．６２から３．０５に濃度が増加しており、鶏の飼育時間の経過と共にりん酸および加里が蓄積されることが判明した。
【００５４】
また、敷き料としてのおが屑は、４００日前後での鶏の飼育期間中に取替えをすることなしに微生物を死滅、あるいは減少させることなく常に好気的条件下での鶏糞の醗酵、分解を促進させるものであることが分かる。
更に、鶏糞を分解させることにより生ずる窒素（Ｎ）、リン（Ｐ）およびカリウム（Ｋ）が蓄積されることにより最適な肥料として活用することが可能となる。
【００５５】
なお、敷き料の攪拌および水分調整は略１５日から２５日の間隔ごとに行う必要性があるが、敷き料の全長が３０ｍ〜５０ｍであるために人力で行うには非常な労力を要することとなる。したがって、敷き料が投入された鶏糞醗酵槽内を自走する攪拌羽根や散水管を設けることによって人力によらないで自動的に攪拌できる構成とすることが望ましい。
【００５６】
以上の構成よりなる本発明の養鶏場における鶏糞処理方法によれば、枯草菌および放射菌を含んだ微生物を接種した敷き料をケージ下の床面に沿って敷くことによって、敷き料上に落下する鶏糞は通気性に優れた敷き料によって空気暴露されると共に、微生物による一次処理の醗酵により鶏糞特有のアンモニア臭の発生を抑えながら好気的条件下での鶏糞の醗酵、分解を促進させることができる。
【００５７】
更に、二次処理において一次処理より高温度、特に７０〜８５℃の高温域内での好気的条件下における特に放線菌の働きにより醗酵を促進させて短期間での醗酵、分解することによって、敷き料と鶏糞との分別を行う必要性は無く、鶏の入れ替え時に敷き料を回収して新たに敷き料を加えて再使用することが可能となる。
また、使用された敷き料には植物の成長を促進させる窒素（Ｎ）、リン（Ｐ）およびカリウム（Ｋ）が蓄積されているために堆肥として有効的に利用することが可能となる。
【図面の簡単な説明】
【００５８】
【図１】本発明を適用した養鶏場における鶏糞処理方法の一例を示す説明図である。
【図２】本発明を適用した養鶏場における鶏糞処理方法におけるケージの一例を示す説明図である。
【図３】本発明を適用した養鶏場における鶏糞処理方法における枯草菌と放線菌として単離し培養しｐＨの経時変化を測定したグラフ図である。
【図４】従来の養鶏場における鶏糞処理の一例を示す説明図である。
【図５】従来の養鶏場における鶏糞処理方法の一例を示す説明図である。
【符号の説明】
【００５９】
１      養鶏場
２      ケージ
３      支柱
４      受けアーム
５      ケージ受け支持パイプ
６      給餌樋
７      給水樋
８      鶏卵受
９      前縁部
１０    鶏糞醗酵槽
１１    敷き料
【図１】
2010035557.tif 000010
【図２】
2010035557.tif 000011
【図３】
2010035557.tif 000012
【図４】
2010035557.tif 000013
【図５】
2010035557.tif 000014